(57)【特許請求の範囲】
【請求項１】
受信部、送信部、及びベースバンド信号処理部を備える受信機において、
前記受信部は、受信信号をベースバンド周波数にダウンコンバートするためのミキサを備え、
当該ミキサは、少なくとも通常モードと低歪モードの何れか一方を選択する機能を有し、前記送信部の送信ＡＧＣ設定値で予め決められた閾値を越えたパワーが前記ベースバンド信号処理部からドライバアンプに設定された時のみ、前記ベースバンド信号処理部からの切替信号に応じて前記低歪モードに切り替えることを特徴とする受信機。
【請求項２】
請求項１に記載の受信機において、
複数の前記受信部及び前記送信部を備えることを特徴とする受信機。
【発明の詳細な説明】
【技術分野】
【０００１】
無線信号の受信性能の向上を図る技術に関する。
【背景技術】
【０００２】
この種の技術として、例えば、特許文献１には、近接する無線周波数の不要波による相互変調を改善し、希望波の受信率を向上させる技術が開示されている。
【０００３】
ところで、デジタル移動通信方式の１つとして、ＷＣＤＭＡ（Wideband-Code Division Multiple Access）が知られている。このＷＣＤＭＡは、通話中は送信部と受信部とが同時に使用されるシステムのため、送信波の干渉が起因する受信性能の劣化が起こりやすい。ミキサでベースバンド周波数にダウンコンバートされた相互変調歪成分は、フィルタで帯域制限することができないためミキサで対処する必要がある。
【０００４】
特許文献２には、受信信号のレベルが大きくなった時にミキサに流す電流を自動的に増加してミキサで発生する歪みを抑えることが提案されている。  
【特許文献１】特開平１０−１３８９６号公報
【特許文献２】特開２００４−３４３２４２号公報
【発明の開示】
【発明が解決しようとする課題】
【０００５】
しかしながら、ミキサで対処するためには電流を増加させて相互変調歪を向上させることができるが、待ち受けなどで受信部のみ動作させている時の消費電力に対する影響が大きいという問題がある。
【０００６】
本発明は、以上の問題等に鑑みてなされたものであり、受信性能の向上と消費電力の影響を最小にすることが可能な受信機を提供することを課題とする。
【課題を解決するための手段】
【０００７】
上記課題を解決するため、請求項１に記載の発明は、受信部、送信部、及びベースバンド信号処理部を備える受信機において、前記受信部は、受信信号をベースバンド周波数にダウンコンバートするためのミキサを備え、当該ミキサは、少なくとも通常モードと低歪モードの何れか一方を選択する機能を有し、前記送信部の送信ＡＧＣ設定値で予め決められた閾値を越えたパワーが前記ベースバンド信号処理部からドライバアンプに設定された時のみ、前記ベースバンド信号処理部からの切替信号に応じて前記低歪モードに切り替えることを特徴とする。
【００１０】
請求項２に記載の発明は、請求項１に記載の受信機において、複数の前記受信部及び前記送信部を備えることを特徴とする。
【発明の効果】
【００１１】
本発明によれば、受信部のミキサのモードを送信状態によって、切り替えることで送信時の受信性能（受信感度、ブロッキング耐力）を向上し、かつ低消費電力という効果が得られる。
【発明を実施するための最良の形態】
【００１２】
以下、図面を参照して本発明の最良の実施形態について詳細に説明する。なお、以下の説明においては、例えばＷＣＤＭＡで使用される低歪受信機に対して本発明を適用した場合の実施形態である。
【００１３】
先ず、図１を参照して、本発明の第１の実施例に係る低歪受信機の構成及び機能について説明する。
【００１４】
図１は、第１の実施例に係る低歪受信機の構成例を示すブロック図である。図１に示す低歪受信機は、受信部（図中、上段）と送信部（図中、下段）からなるＴＲＸ回路１６（送受信機)、及びベースバンド信号処理部としてのベースバンドＩＣ１３等を備えている。
【００１５】
先ず、受信部の構成について説明する。
【００１６】
受信部は、図１に示すように、ローノイズアンプ２、バンドパスフィルタ３、ミキサ４、ベースバンドアンプ５、ローパスフィルタ６、及び受信側のデュプレクサ７等を備えて構成されている。このような構成の受信部において、アンテナ１で受信された信号は、デュプレクサ７で受信帯に帯域制限され、ローノイズアンプ２に入力される。そして、ローノイズアンプ２で増幅された信号は、バンドパスフィルタ３で帯域制限された後、ミキサ４に入力される。
【００１７】
ミキサ４は、ベースバンドＩＣ１３からのミキサモード切替信号１７によって、モード（通常モード又は低歪モード）が選択される。このミキサ４でベースバンド周波数にダウンコンバートされた信号は、ベースバンドアンプ５に入力される。そして、ベースバンドアンプ５は、ベースバンドＩＣ１３からの受信ＡＧＣ制御信号１４によって、最適なゲインが選択される。ベースバンドアンプ５で増幅された信号は、ローパスフィルタ６で帯域制限された後、ベースバンドＩＣ１３に入力され信号処理される。  
【００１８】
次に、送信部の構成について説明する。
【００１９】
送信部は、送信側のデュプレクサ７、アイソレータ８、パワーアンプ９、バンドパスフィルタ１０、ドライバアンプ１１、及び変調器１２を備えて構成されている。このような構成の送信部において、ベースバンドＩＣ１３で信号処理されたベースバンド信号が変調器１２に入力され、ＲＦ周波数にアップコンバートされた後、ドライバアンプ１１に入力される。
【００２０】
ドライバアンプ１１は、ベースバンドＩＣ１３からの送信ＡＧＣ制御信号１５によって、最適な出力パワーが選択される。このドライバアンプ１１で増幅された信号は、バンドパスフィルタ１０で帯域制限された後、パワーアンプ９に入力される。そして、パワーアンプ９で増幅された信号はアイソレータ８を通した後、デュプレクサ７で送信帯に帯域制限され、アンテナ１から出力される。
【００２１】
次に、第１の実施例の動作について説明する。
【００２２】
図１に示す通り、ミキサ４に入力された受信信号は、ベースバンド周波数にダウンコンバートされ、最終的にはベースバンドＩＣ１３で信号処理される。ミキサ４は、一般的に相互変調歪が発生するため、本来の受信信号以外の信号（送信波、妨害波など）が入力されると、ベースバンド周波数へのダウンコンバートの際に歪成分も重畳される。この重畳された成分により、受信性能（受信感度、ブロッキング耐力）の劣化を引き起こす。ミキサ４に２つのモード（通常モードと低歪モード）を持ったもの（例えば、上述した特許文献２参照)を使用し、送信部の起動と同時にベースバンドＩＣ１３からのミキサモード切替信号１７によって、ミキサ４を低歪モードに切り替える。
【００２３】
このように、上記実施例によれば、送信部の起動と同時にベースバンドＩＣ１３からのミキサモード切替信号１７でミキサ４を低歪モード設定とすることで、送信時に送信波が受信部に干渉することによる受信感度の劣化を抑えることができ、受信性能を向上することができる。
【００２４】
また、送信部の起動と同時にベースバンドＩＣ１３からのミキサモード切替信号１７でミキサ４を低歪モード設定とすることで、送信時に送信波が受信部に干渉し、かつアンテナから妨害波が入力された時のブロッキング特性の劣化が抑えられる。
【００２５】
また、ミキサ４のモード切替を送信部の起動時に行うことで待ち受けなどで受信部のみ起動している際の消費電力に影響を与えず、消費電力の影響を最小にすることができる。
【００２６】
次に、本発明の他の実施例について説明する。
【００２７】
本発明の第２の実施例として、その基本構成は前記の通りであるが、送信ＡＧＣ制御信号１５の設定値に閾値を決め、その閾値を越えたパワーがドライバアンプ１１に設定された時のみ、ベースバンドＩＣ１３からのミキサモード切替信号１７によって、ミキサ４を低歪モードに切り替える。設定値の一例を図２に示す。これにより、受信性能を向上し、通話中の消費電力を、より抑えることができる。
【００２８】
また、本発明の第３の実施例に係る低歪受信機の構成例を、図３に示す。第１、第２の実施例の構成で送受信機（ＴＲＸ回路１６）を複数持ち、各々のミキサのモード切替をベースバンドＩＣ１３からミキサモード切り替えを行う。これにより、同様の性能で他バンドに対応することができる。
【図面の簡単な説明】
【００２９】
【図１】第１の実施例に係る低歪受信機の構成例を示すブロック図である。
【図２】第２の実施例に係る設定値の一例を示す図である。
【図３】第３の実施例に係る低歪受信機の構成例を示すブロック図である。
【符号の説明】
【００３０】
１  アンテナ
２  ローノイズアンプ
３  バンドパスフィルタ
４  ミキサ
５  ベースバンドアンプ
６  ローパスフィルタ
７  デュプレクサ７
８  アイソレータ
９  パワーアンプ
１０  バンドパスフィルタ
１１  ドライバアンプ
１２  変調器
１３  ベースバンドＩＣ１３
１４  受信ＡＧＣ制御信号
１５  送信ＡＧＣ制御信号
１６  ＴＲＸ回路
１７  ミキサモード切替信号
【図１】
0005504569.tif 000002
【図２】
0005504569.tif 000003
【図３】
0005504569.tif 000004